(57)【要約】【課題】成形条件データ等のファイルデータの読込操作を容易かつ迅速に行うとともに、ファイルデータの内容確認を容易かつ確実に行う。【解決手段】記憶メディア２から読出したファイルデータを、コントローラ３に内蔵するデータメモリ５のデータ格納エリア５ｍに読込むに際し、コントローラ３の内部メモリ４（データメモリ５を含む）に一時記憶エリア５ｐを確保し、記憶メディア２における選択したファイルデータをデータ格納エリア５ｍに読込む前に、一時記憶エリア５ｐに書込むとともに、このファイルデータをコントローラ３のディスプレイ６にプレビュー表示し、この後、読込キー７の操作により一時記憶エリア５ｐに書込んだファイルデータをデータ格納エリア５ｍに読込む。【選択図】図１
2004155087.tif 000002
【特許請求の範囲】
【請求項１】
記憶メディアから読出したファイルデータを、コントローラに内蔵するデータメモリのデータ格納エリアに読込むコントローラのデータ読込方法において、前記コントローラの内部メモリ（前記データメモリを含む）に一時記憶エリアを確保し、前記記憶メディアにおける選択したファイルデータを前記データ格納エリアに読込む前に、前記一時記憶エリアに書込むとともに、このファイルデータを前記コントローラのディスプレイにプレビュー表示し、この後、読込キーの操作により前記一時記憶エリアに書込んだファイルデータを前記データ格納エリアに読込むことを特徴とするコントローラのデータ読込方法。
【請求項２】
前記プレビュー表示は、前記一時記憶エリアに書込んだファイルデータの一部のデータを用いることを特徴とする請求項１記載のコントローラのデータ読込方法。
【請求項３】
前記ファイルデータは、射出成形機のコントローラに用いる成形条件データであることを特徴とする請求項１記載のコントローラのデータ読込方法。
【請求項４】
前記成形条件データには、成形条件メモデータを含むとともに、この成形条件メモデータも前記プレビュー表示を行うことを特徴とする請求項３記載のコントローラのデータ読込方法。
【請求項５】
前記成形条件メモデータには、画像データを含むことを特徴とする請求項４記載のコントローラのデータ読込方法。
【発明の詳細な説明】
【０００１】
【発明の属する技術分野】
本発明は、記憶メディアから読出したファイルデータをコントローラに内蔵するデータメモリに読込む際に用いて好適なコントローラのデータ読込方法に関する。
【０００２】
【従来の技術】
従来、射出成形機において使用する成形条件データは、ファイル名を付したファイルデータにより、メモリカード等の記憶メディア（外部メモリ）に保存する場合も多く、射出成形に必要な成形条件データ（ファイルデータ）を使用する際は、記憶メディアから目的の成形条件データを読出すとともに、射出成形機のコントローラに内蔵するデータメモリのデータ格納エリアに読込ませていた（特開２００２−８６５３０号公報等参照）。
【０００３】
この場合、一つの記憶メディアには、通常、多数の成形条件データが保存されるため、記憶メディアから必要な成形条件データを読出す際は、コントローラのディスプレイにファイル名リストを表示し、選択したファイル名に係わる成形条件データを読出していた。
【特許文献１】
特公２００２−８６５３０号公報
【０００４】
【発明が解決しようとする課題】
ところで、通常、ファイル名は、文字数が限られるため、ファイル名から成形条件データの内容を正確に把握することは容易でない。このため、オペレータが成形条件データの内容を確認する場合には、確認したい成形条件データを選択して記憶メディアから読出し、コントローラに内蔵するデータメモリのデータ格納エリアに読込むとともに、ディスプレイにデータ内容を表示することにより確認し、目的の成形条件データであれば、読込処理を終了させるとともに、目的の成形条件データでない場合には、再度、同様の読込操作を繰り返していた。
【０００５】
しかし、このような従来のデータ読込方法では、成形条件データの読込操作が煩雑となり時間がかかる難点があるとともに、成形条件データの内容確認は、ディスプレイに表示される通常の設定画面となるため、容易かつ確実に確認するという観点からは必ずしも十分であるとは言えない難点があった。
【０００６】
本発明は、このような従来の技術に存在する課題を解決したものであり、成形条件データ等のファイルデータの読込操作を容易かつ迅速に行うことができるとともに、ファイルデータの内容確認を容易かつ確実に行うことができるコントローラのデータ読込方法の提供を目的とする。
【０００７】
【課題を解決するための手段及び実施の形態】
本発明に係るコントローラのデータ読込方法は、記憶メディア２から読出したファイルデータを、コントローラ３に内蔵するデータメモリ５のデータ格納エリア５ｍに読込むに際し、コントローラ３の内部メモリ４（データメモリ５を含む）に一時記憶エリア５ｐを確保し、記憶メディア２における選択したファイルデータをデータ格納エリア５ｍに読込む前に、一時記憶エリア５ｐに書込むとともに、このファイルデータをコントローラ３のディスプレイ６にプレビュー表示し、この後、読込キー７の操作により一時記憶エリア５ｐに書込んだファイルデータをデータ格納エリア５ｍに読込むようにしたことを特徴とする。
【０００８】
この場合、好適な実施の態様により、プレビュー表示には、一時記憶エリア５ｐに書込んだファイルデータの一部のデータを用いることができる。また、ファイルデータとしては、射出成形機Ｍのコントローラ３に用いる成形条件データＤｓが好適であり、特に、この成形条件データＤｓには、成形条件メモデータＤｓｍを含ませるとともに、この成形条件メモデータＤｓｍもプレビュー表示させることができる。なお、成形条件メモデータＤｓｍには、画像データＤｓｖを含ませることができる。
【０００９】
【実施例】
次に、本発明に係る好適な実施例を挙げ、図面に基づき詳細に説明する。
【００１０】
まず、本実施例に係るデータ読込方法を実施できるコントローラ３及びこのコントローラ３を搭載する射出成形機Ｍの概略構成について、図２及び図３を参照して説明する。
【００１１】
図２中、仮想線で示すＭは射出成形機であり、機台Ｍｂと、この機台Ｍｂ上に設置された射出装置Ｍｉ及び型締装置Ｍｃを備える。射出装置Ｍｉは、加熱筒１０を備え、この加熱筒１０の前端に図に現れない射出ノズルを有するとともに、加熱筒１０の後部には材料を供給するホッパ１１を備える。一方、型締装置Ｍｃには可動型と固定型からなる金型１２を備える。また、機台Ｍｂ上には側面パネル１３を起設し、この側面パネル１３にディスプレイユニット１５を配設する。このディスプレイユニット１５は、タッチパネル６ｔを付設したカラー液晶ディスプレイ等のディスプレイ６を備え、このディスプレイユニット１５は、機台Ｍｂに内蔵したコントローラ３（図３）に接続する。
【００１２】
図３は、コントローラ３のブロック系統図を示す。２１はＣＰＵであり、このＣＰＵ２１には内部バス２２を介してチップセット２３を接続する。また、チップセット２３には、ＰＣＩバス等のローカルバスを用いたバスライン２４を接続してＨＭＩ（ヒューマン・マシン・インタフェース）制御系を構成する。このため、バスライン２４には、ＲＡＭ，ＲＯＭ等の各種メモリ類を総括する内部メモリ４を接続する。内部メモリ４には、本実施例に係るデータ読込方法の実施に用いるデータメモリ（ＲＡＭ）５が含まれる。さらに、バスライン２４には、表示インタフェース２５を介して上述したディスプレイユニット１５を接続するとともに、入出力インターフェイス２６を介してメモリカード等の記憶メディア（外部メモリ）２に対する読出及び書込を行うドライブユニット２７を接続する。
【００１３】
一方、チップセット２３には、バスライン２４と同様のバスライン２８を接続してＰＬＣ（プログラマブル・ロジック・コントローラ）制御系を構成する。このため、バスライン２８には、スイッチ等の切換データＤｉをＣＰＵ２１に付与し、かつＣＰＵ２１から得る制御指令データＤｏを対応するアクチュエータに付与する入出力インターフェイス２９を接続するとともに、各種センサの検出信号Ｓｉを、アナログ−ディジタル変換してＣＰＵ２１に付与し、かつＣＰＵ２１から得る制御指令データをディジタル−アナログ変換して得た制御信号Ｓｏを対応するアクチュエータに付与する入出力インターフェイス３０を接続する。これにより、所定のフィードバック制御系及びオープンループ制御系が構成される。なお、３１は電源、３２は電源スイッチを示す。
【００１４】
そして、前述した内部メモリ４には、ＰＬＣプログラムとＨＭＩプログラムを格納するとともに、各種処理プログラムを格納する。この場合、ＰＬＣプログラムは、射出成形機Ｍにおける各種工程のシーケンス動作や射出成形機Ｍの監視等を実現するためのソフトウェアであり、ＨＭＩプログラムは、射出成形機Ｍの動作パラメータの設定及び表示，射出成形機Ｍの動作監視データの表示等を実現するためのソフトウェアである。これらのソフトウェアは、コントローラ３を搭載する射出成形機Ｍの固有アーキテクチャとして構築され、特に、本実施例に係るデータ読込方法を実行するための処理プログラムを備えている。
【００１５】
また、内部メモリ４に含まれるデータメモリ５は、図３に示すように、データ格納エリア５ｍを有しており、このデータ格納エリア５ｍには、成形機調整データ及び生産管理データ等の成形機を稼働させるための各種データを格納するとともに、成形条件データを格納する。一方、このデータメモリ５には、データ格納エリア５ｍの他に一時記憶エリア５ｐを確保する。この場合、一時記憶エリア５ｐは、データメモリ５内に確保してもよいし内部メモリ４内の他のメモリに確保してもよい。即ち、一時記憶エリア５ｐは、単一のメモリで実現してもよいし複数のメモリで実現してもよい。
【００１６】
次に、本実施例に係るデータ読込方法について、図２〜図６を参照しつつ図１に示すフローチャートに従って説明する。
【００１７】
実施例は、メモリカード等の記憶メディア（外部メモリ）２に保存されている成形条件データを読出し、コントローラ３に内蔵するデータメモリ５のデータ格納エリア５ｍに読込む場合を示す。
【００１８】
まず、コントローラ３におけるドライブユニット２７に、記憶メディア２をセットする。この記憶メディア２には、多数の成形条件データがファイル名を付して保存されている。成形条件データは、通常、テキスト形式により作成されるため、各成形条件データには、テキスト形式により作成された対応する成形条件メモデータＤｓｍが含まれる。また、各成形条件データに対応する画像データＤｓｖが存在する場合には、対応する成形条件データと同一のファイル名を使用し、拡張子部分に「．ＪＰＥＧ」又は「．ＢＭＰ」を使用することにより、対応する成形条件データと同一フォルダに保存する。なお、「．ＪＰＥＧ」はＪＰＥＧ形式の画像データＤｓｖに使用し、「．ＢＭＰ」はＢＭＰ形式の画像データＤｓｖに使用する。この成形条件メモデータＤｓｍ（画像データＤｓｖ）は、前述した特開２００２−８６５３０号公報で開示される射出成形機の制御装置において作成することができる。
【００１９】
一方、コントローラ３のディスプレイ６に表示されている条件切換画面切換キーＫ７（図４参照）をタッチすることにより（ステップＳ１）、ディスプレイ６に、図５に示す条件切換画面Ｖａａを表示させる（ステップＳ２）。この場合、条件切換画面切換キーＫ７を含む画面切換キーＫ１，Ｋ２…は、図４に示すように、ディスプレイ６における上段と下段に常時表示されており、各画面切換キーＫ１…の選択により、各画面切換キーＫ１…に対応する画面を表示できる。この画面切換キーＫ１…は、使用頻度の高さを考慮してランク分けされ、上段に、型開閉画面切換キーＫ１，エジェクタ画面切換キーＫ２，射出・計量画面切換キーＫ３，温度画面切換キーＫ４，モニタ画面切換キーＫ５，主要条件画面切換キーＫ６，条件切換画面切換キーＫ７を有する成形機の動作条件の設定に係わる第一のグループＧａを横一列に配するとともに、下段に、これ以外となる段取り画面切換キーＫ８，工程監視画面切換キーＫ９，生産情報画面切換キーＫ１０，波形画面切換キーＫ１１，統計画面切換キーＫ１２，トレンド画面切換キーＫ１３を有する第二のグループＧｂを横一列に配する。
【００２０】
各画面切換キーＫ１…は、図４に示す読込表示画面Ｖａｃを他の画面に切換えた場合でも同様に表示される。例えば、図２は工程監視画面切換キーＫ９を選択した場合の工程監視画面Ｖｂの概要を示すが、各画面切換キーＫ１…は、図４に示した読込表示画面Ｖａｃと同じ位置に同じ形状で表示される。なお、図４に表示される第二のグループＧｂは、第一階層が表示された状態であるが、画面右端の階層画面切換キーＫｃをタッチすることにより、第二階層における履歴画面切換キー，プログラム画面切換キー，信号レコーダ画面切換キー，診断画面切換キー等が、画面切換キーＫ８〜Ｋ１３と入れ替わる形で同様に表示される。また、コントローラ３には、画面切換キーＫ１…の配列をユーザサイドで任意に変更できる配列変更機能及び変更後の配列を記憶する配列記憶機能を備えている。これにより、ユーザ自身が使い勝手を考慮して画面切換キーＫ１…の配列（順番）を任意に変更することができる。このようなレイアウト表示により、各画面切換キーＫ１…に表示される名称表示を変更する場合でも、ソフトウェアにより容易に対処でき、変更に伴う工数の削減及びコストダウンを図れるとともに、各画面切換キーＫ１…に対する視認性及び操作性を高めることができる。
【００２１】
そして、条件切換画面切換キーＫ７のタッチによって最初に表示される条件切換画面Ｖａａは、上半部に、コントローラ３の内部メモリ４に保存されている全成形条件データのファイル名の一覧を表示する内部メディア表示欄５１を有するとともに、下半部に、記憶メディア２に保存されている全成形条件データのファイル名の一覧を表示する外部メディア表示欄５２を有する。この場合、内部メモリ４に保存されている成形条件データとは、データメモリ５におけるデータ格納エリア５ｍ以外に保存される成形条件データである。また、内部メディア表示欄５１の右側には、この内部メディア表示欄５１に用いる読込ボタン５３ａ，保存ボタン５３ｂ及び削除ボタン５３ｃを有するとともに、外部メディア表示欄５２の右側には、この外部メディア表示欄５２に用いる読込ボタン５４ａ，保存ボタン５４ｂ及び削除ボタン５４ｃを有する。これにより、保存ボタン５３ｂ及び５４ｂをタッチすることにより成形条件データの保存処理を行うことができるとともに、削除ボタン５３ｃ及び５４ｃをタッチすることにより成形条件データの削除処理を行うことができる（ステップＳ３，Ｓ４，Ｓ５）。
【００２２】
一方、成形条件データを読込む際には、外部メディア表示欄５２の読込ボタン５４ａをタッチする（ステップＳ３，Ｓ６）。これにより、ディスプレイ６には、図６に示す読込初期画面Ｖａｂが表示される（ステップＳ７）。図６に示す読込初期画面Ｖａｂは、データ等の表示有無を除き、図４に示す読込表示画面Ｖａｃと基本的な構成は同じであり、図６に示す読込初期画面Ｖａｂ及び図４に示す読込表示画面Ｖａｃは、共に、現在の成形条件を表示する現成形条件表示部５５，記憶メディア２に保存されている全成形条件データのファイル名の一覧を表示するメディア表示欄５６，プレビュー表示を行うプレビュー画面５７，選択されたファイル名を表示するファイル名表示部５８，プレビュー選択キー５９，読込キー７，ＥＸＩＴキー６０等を有している。
【００２３】
次いで、読込初期画面Ｖａｂのメディア表示欄５６から、読込む成形条件データを選択する（ステップＳ８）。この場合、ファイル名をタッチすることにより選択することができる。実施例では、図４に示すように、ファイル名のタッチにより、対応するチェックボックスにチェックマークが入る例を挙げたが、選択したファイル名の表示を白黒反転させてもよい。実施例は、ファイル名「ＪＹＯＵＫＥＮ−１」を選択した場合を示している。これにより、ファイル名表示部５８には、図４に示すように、ファイル名「ＪＹＯＵＫＥＮ−１」が表示される。
【００２４】
そして、この選択した成形条件データＤｓを、直接読込むか或いはプレビュー表示した後に読込むかのいずれかを選択できる（ステップＳ９）。直接読込む場合には、読込キー７をタッチすることにより、データメモリ５のデータ格納エリア５ｍに対する読込処理が直ちに行われる（ステップＳ１３）。この結果、既に読込まれている成形条件データ、即ち、現成形条件表示部５５に表示されている成形条件データに対する書換が行われる。なお、読込まれる成形条件データＤｓには、同一ファイル内の成形条件メモデータＤｓｍ及び同一フォルダ内に保存される画像データＤｓｖが含まれる。
【００２５】
他方、プレビュー表示を行う場合には、プレビュー選択キー５９をタッチする（ステップＳ１０）。これにより、選択したファイル名「ＪＹＯＵＫＥＮ−１」に係る成形条件データＤｓ及び成形条件メモデータＤｓｍ、さらには同一フォルダ内の画像データＤｓｖが、内部メモリ５内の一時記憶エリア５ｐに書込まれるとともに、プレビュー表示が行われる（ステップＳ１１）。図４がプレビュー選択キー５９をタッチした後の読込表示画面Ｖａｃを示している。プレビュー表示の目的は、成形条件データＤｓの内容を確認できれば足りるため、プレビュー画面５７には、成形条件データＤｓを構成する個々のデータの中から成形条件データＤｓの内容を確認するためのデータのみを表示、即ち、成形条件データＤｓにおける一部のデータのみを表示する。なお、プレビュー表示するデータは、必要に応じて加工することができる。また、プレビュー画面５７には、成形条件データＤｓに付加された成形条件メモデータＤｓｍも一緒に表示される。このプレビュー表示画面５７はスクロールすることができる。
【００２６】
さらに、成形条件データＤｓのフォルダ内には、この成形条件データＤｓに関係する図面や写真等の画像データＤｓｖも一緒に保存されているため、図４に示すように、別途のウィンドウ表示画面６１により画像データＤｓｖを表示させる。このような画像データＤｓｖは、成形条件データＤｓを認識する上で比較的重要な情報となるため、プレビュー画面５７とは別の表示となるウィンドウ表示画面６１を用いることにより、成形条件データＤｓを、より容易かつ確実に認識することができる。したがって、このウィンドウ表示画面６１もプレビュー表示に含まれる。なお、必要により、画像データＤｓｖをプレビュー表示画面５７内に表示してもよいし、成形条件メモデータＤｓｍの全部又は一部をウィンドウ表示画面６１に表示しても勿論よい。
【００２７】
そして、オペレータは、プレビュー表示された内容を確認し、目的の成形条件データＤｓであると確認できれば、読込キー７をタッチする（ステップＳ１２，Ｓ１３）。これにより、データメモリ５の一時記憶エリア５ｐからデータ格納エリア５ｍに対する読込処理（書替処理）が行われる。これに対して、プレビュー表示された内容を確認し、目的の成形条件データＤｓでなかった場合には、再度、上述したステップＳ８に戻り、読込初期画面Ｖａｂのメディア表示欄５６から他の成形条件データを選択する。これにより、再選択した成形条件データＤｓに対して上述した手順に従って同様の確認を行うことができる（ステップＳ１２，Ｓ８〜）。
【００２８】
よって、このような本実施例に係るデータ読込方法によれば、記憶メディア２における選択した成形条件データＤｓをデータ格納エリア５ｍに読込む前に、一時記憶エリア５ｐに書込むとともに、この成形条件データＤｓをコントローラ３のディスプレイ６にプレビュー表示し、この後、読込キー７の操作により一時記憶エリア５ｐに書込んだ成形条件データＤｓをデータ格納エリア５ｍに読込むようにしたため、成形条件データＤｓの読込操作を容易かつ迅速に行うことができるとともに、成形条件データの内容確認を容易かつ確実に行うことができる。特に、プレビュー表示に、成形条件データＤｓにおける一部のデータを用いたため、処理速度を速めることができるとともに、画像データＤｓｖを含む成形条件メモデータＤｓｍを含ませたため、より容易かつ確実に成形条件データＤｓの内容を確認することができる。
【００２９】
以上、実施例について詳細に説明したが、本発明はこのような実施例に限定されるものではなく、細部の構成，配置，数量，手法等において、本発明の要旨を逸脱しない範囲で任意に変更，追加，削除することができる。例えば、実施例は、記憶メディア２としてメモリカード等の外部メモリを例示したが、コントローラ３に備える内部メモリ４内の記憶メディアであってもよい。また、プレビュー表示に際して、成形条件データＤｓにおける一部のデータを用いたが、全部のデータを表示する場合を排除するものではない。さらに、ファイルデータとして射出成形機Ｍのコントローラ３に用いる成形条件データを例示したが、他の工作機械類をはじめ、いわゆるコンピュータ搭載機器における各種コントローラに用いるファイルデータに適用できる。
【００３０】
【発明の効果】
このように、本発明に係るコントローラのデータ読込方法は、コントローラの内部メモリに一時記憶エリアを確保し、記憶メディアにおける選択したファイルデータをデータ格納エリアに読込む前に、一時記憶エリアに書込むとともに、このファイルデータをコントローラのディスプレイにプレビュー表示し、この後、読込キーの操作により一時記憶エリアに書込んだファイルデータをデータ格納エリアに読込むようにしたため、次のような顕著な効果を奏する。
【００３１】
（１）  成形条件データ等のファイルデータの読込操作を容易かつ迅速に行うことができるとともに、ファイルデータの内容確認を容易かつ確実に行うことができる。
【００３２】
（２）  好適な実施の態様により、プレビュー表示に、一時記憶エリアに書込んだファイルデータの一部のデータを用いるようにすれば、処理速度を速めることができる。
【００３３】
（３）  好適な実施の態様により、特に、ファイルデータとして射出成形機のコントローラに用いる成形条件データに適用するとともに、この成形条件データに、成形条件メモデータ（画像データ）を含ませ、この成形条件メモデータもプレビュー表示を行うようにすれば、より容易かつ確実に成形条件データの内容を確認することができる。
【図面の簡単な説明】
【図１】本発明の好適な実施例に係るデータ読込方法の処理手順を説明するためのフローチャート、
【図２】同データ読込方法を実施するコントローラを搭載する射出成形機の概要図、
【図３】同コントローラの機能ブロック図、
【図４】同データ読込方法に用いる読込表示画面図、
【図５】同データ読込方法に用いる条件切換画面図、
【図６】同データ読込方法に用いる読込初期画面図、
【符号の説明】
２      記憶メディア
３      コントローラ
４      内部メモリ
５      データメモリ
５ｍ    データ格納エリア
５ｐ    一時記憶エリア
６      ディスプレイ
７      読込キー
Ｄｓ    成形条件データ（ファイルデータ）
Ｄｓｍ  成形条件メモデータ
Ｄｓｖ  画像データ
Ｍ      射出成形機
【図１】
2004155087.tif 000003
【図２】
2004155087.tif 000004
【図３】
2004155087.tif 000005
【図４】
2004155087.tif 000006
【図５】
2004155087.tif 000007
【図６】
2004155087.tif 000008